(57)【要約】      （修正有）【課題】使用者（又は顧客）に最適な美容液等の化粧品やクリームタイプパック剤を選択・使用することができ、短時間のうちに美容効果を得ることができる美容パック化粧品を提供する。【解決手段】基材シートに美容液を含浸させて用いるパックシートと、該基材シート上に塗布するクリームタイプパック剤と、該パック剤を塗設された前記基材シート上に被覆するアルミニウム等の金属材製保温シートとの組合せからなる美容パック化粧品である。【選択図】図３
0003144385.tif 000002
【実用新案登録請求の範囲】
【請求項１】
基材シートに美容液を含浸させて用いるパックシートと、
該基材シート上に塗布するクリームタイプパック剤と、
該パック剤を塗設された前記基材シート上に被覆するアルミニウム等の金属材製保温シートとの組合せからなる美容パック化粧品。
【請求項２】
パックシートが、目の該当個所に開口を有し、鼻・口唇の該当個所に切込みを有するシルクシートからなる顔面部基材シートであって、外周縁の複数個所に密着用切込みを有することを特徴とする請求項１に記載の美容パック化粧品。
【請求項３】
パックシートが、顔面部基材シートに、シルクシートからなる首部基材シートを連設してあることを特徴とする請求項１又は２に記載の美容パック化粧品。
【請求項４】
クリームタイプパック剤が、保湿成分又は美白成分を含有することを特徴とする請求項１〜３のいずれかに記載の美容パック化粧品。
【請求項５】
金属材製保温シートが、口唇の該当個所に開口を有し、鼻の該当個所及び（又は）外周縁の複数個所に切込みを有することを特徴とする請求項１〜４のいずれかに記載の美容パック化粧品。
【請求項６】
首部基材シートが、略半円形状を有し、該略半円形状の弦部分が顔面部基材シートの顎下部分に接続する向きで前記顔面部基材シート部と連設され、前記略半円形状の弧部分の一部が略Ｍ字形状に形成され、前記首部基材シートを使用者の首に貼付する際に、該首部基材シートの中心を視認することができる形状であることを特徴とする前記３〜５のいずれかに記載の美容パック化粧品。
【考案の詳細な説明】
【技術分野】
【０００１】
本考案は、美容パック化粧品に関し、詳しくはパックシート、パック剤及び保温シートの組合せからなる美容パック化粧品に関する。
【背景技術】
【０００２】
従来から、不織布等に美容液等の化粧品を浸透させ、これを使用者の顔面・首等に密着状態となるように貼り付け、美容効果を得るパックシートが知られている（特許文献１）。
【０００３】
また、パックシートの一部に非鉄金属材（アルミニウム等）を用い、保温シートの役割を果たすものが知られている（特許文献２）。
【特許文献１】実用新案登録第３１４１５６５号
【特許文献２】実開平７−２７４１１
【考案の開示】
【考案が解決しようとする課題】
【０００４】
特許文献１の技術は、顔面シート部と首・デコルテシート部との組合せから成り、美容液等の化粧品を浸透させて用いる化粧用パックシートである。シートは顔面の形や凹凸等に対応するように、目・鼻・口の部分に開口又は切込みを設け、顔の輪郭と略一致する形状に形成されている。
【０００５】
特許文献２の技術は、非鉄金属材（アルミニウム等）から成る基体に軟質層（合成樹脂不織布等）を貼設したパックシートであって、顔面又は前記軟質層に化粧水等を塗布した後に、前記パックシートを顔面に着用するパックシートである。この技術よれば、非鉄金属材（アルミニウム等）が、体内から発せられる熱線を反射し、パックシートと顔面皮膚間の温度を上昇させ、保温シートとしての役割を果たし、美容効果を高めることができる。
【０００６】
特許文献１の技術は、美容液等の化粧品をシートに浸透させて用いるに止まり、これに加えてパック剤を用いることもなく、美容液等の化粧品を浸透させたシート上に保温性のあるシートを被覆する旨の開示はない。この技術では、美容成分はシートに浸透させる美容液等の化粧品のみであり、十分に美容効果を得ることができない。また、前記シートを保温する手段を有さないため、皮膚に対する美容液等の化粧品の浸透効果を十分に得ることができず、その結果、十分に美容効果を得ることができないという問題があった。
【０００７】
特許文献２の技術は、パックシートの基体である非鉄金属材（アルミニウム等）が、体内から発せられる熱線を反射し、パックシートと顔面皮膚間の温度を上昇させ、保温シートとしての役割を果たし、美容効果を高めることができるが、基体と化粧水等を浸透させる軟質層とが一体となっており、前記化粧水等と共にパック剤を塗布することはできず、その結果、十分に美容効果を得ることができないという問題があった。
【０００８】
美容パック化粧品は、その美容効果を高めるため、使用者の年齢、肌質、肌のコンディション若しくはアレルギーの有無又は美容の目的（美肌、美白等）等により、使用する美容液等の化粧品やパック剤の種類・成分を使い分けることが求められる。
殊に、エステティックサロン等において、顧客に対し美容を施す美容師（エステティシャン等）が、顧客に対して美容サービスを施術する場合は、顧客の肌のコンディション等を観察し又は科学的に分析し、顧客の要求等をヒアリングした上で、顧客に最適な美容液やパック剤を選択し使用する事が求められ、同時に、美容効果を短時間のうちに発揮させることが求められる。
また、美容成分を有するものを、美容液とパック剤のように２種以上使用することができれば、より一層美容効果を発揮することができる。
更に、使用者が自ら美容パック化粧品を使用する場合にも、顔面又は顔面及び首に正確に着用し得ることが求められる。
【０００９】
そこで、本考案の第一の課題は、使用者（又は顧客）に最適な美容液等の化粧品やクリームタイプパック剤を選択・使用することができ、短時間のうちに美容効果を得ることができる美容パック化粧品を提供することにあり、第二の課題は、使用者が自ら美容パック化粧品を使用する場合に、顔面（又は顔面及び首）に正確に着用することができる美容パック化粧品を提供することにある。
【課題を解決するための手段】
【００１０】
上記課題を解決する本考案は下記構成を有する。
１．基材シートに美容液を含浸させて用いるパックシートと、
該基材シート上に塗布するクリームタイプパック剤と、
該パック剤を塗設された前記基材シート上に被覆するアルミニウム等の金属材製保温シートとの組合せからなる美容パック化粧品。
【００１１】
２．パックシートが、目の該当個所に開口を有し、鼻・口唇の該当個所に切込みを有するシルクシートからなる顔面部基材シートであって、外周縁の複数個所に密着用切込みを有することを特徴とする前記１に記載の美容パック化粧品。
【００１２】
３．パックシートが、顔面部基材シートに、シルクシートからなる首部基材シートを連設してあることを特徴とする前記１又は２に記載の美容パック化粧品。
【００１３】
４．クリームタイプパック剤が、保湿成分又は美白成分を含有することを特徴とする前記１〜３のいずれかに記載の美容パック化粧品。
【００１４】
５．金属材製保温シートが、口唇の該当個所に開口を有し、鼻の該当個所及び（又は）外周縁の複数個所に切込みを有することを特徴とする前記１〜４のいずれかに記載の美容パック化粧品。
【００１５】
６．首部基材シートが、略半円形状を有し、該略半円形状の弦部分が顔面部基材シートの顎下部分に接続する向きで前記顔面部基材シート部と連設され、前記略半円形状の弧部分の一部が略Ｍ字形状に形成され、前記首部基材シートを使用者の首に貼付する際に、該首部基材シートの中心を視認することができる形状であることを特徴とする前記３〜５のいずれかに記載の美容パック化粧品。
【考案の効果】
【００１６】
前記１に示す考案によれば、使用者又は顧客に最適な美容液等の化粧品やクリームタイプのパック剤を選択・使用することができ、短時間のうちに美容効果を得ることが可能な美容パック化粧品を提供することができる。
【００１７】
前記２に示す考案によれば、パックシートを着用した状態で、視界を確保すること及び呼吸を確保することができ、顔面に密着して着用することができる。
【００１８】
前記３に示す考案によれば、顔面だけでなく、首の前側全面に対する美容効果を発揮することができる。
【００１９】
前記４に示す考案によれば、保湿効果又は美白効果を発揮することができる。
【００２０】
前記５に示す考案によれば、保温シートを被覆した状態で、呼吸を確保することができ、顔面に密着して着用することができる。
【００２１】
前記６に示す考案によれば、エステティシャン等による施術の場合は勿論のこと、使用者が自ら美容パック化粧品を使用する場合にも、顔面（又は顔面及び首）に正確に着用することができる。
【考案を実施するための最良の形態】
【００２２】
次に、添付の図面に従って、本考案を詳細に説明する。
【００２３】
図１はパックシートの実施例を示す平面図、図２は保温シートの実施例を示す平面図、図３は本考案に係る美容パック化粧品を顔面及び首の前側部分に貼り付ける状態を説明する拡散斜視図である。
本考案に係る美容パック化粧品は、パックシート、クリームタイプパック剤及び保温シートによって構成される。
【００２４】
先ず、パックシート１について説明する。
図１に示すパックシート１は、顔面部基材シート１１と首部基材シート１２とを連設した態様の実施例であるが、顔面部基材シート１１のみによって構成されてもよい。パックシート１は、基材シートに美容液を含浸させて用いるものである。
【００２５】
顔面部基材シート１１には、目の部分に相当する個所には目部開口１３が設けられ、鼻部の部分には該鼻部の隆起を逃がして馴染み易くするための鼻部切込み１４が形成され、口の部分には口部切込み１４が形成されている。また、顔面部基材シート１１の外周部分には、顔面の立体面に合うように複数の切込み１６が形成されている。
【００２６】
尚、目部開口１３を設けることなく、瞼部も顔面部基材シート１１を密着状態で貼り付けることで、瞼部にも美容液等による美容効果を発揮させる構成も本考案に包含される。
【００２７】
尚また、顔面部基材シート１１は、本実施例では口部には開口を有さない構成とすることにより、口部切込み１５を形成することなく、口部も顔面部基材シート１１を密着状態で貼り付けることで、口唇にも化粧水による美容効果を発揮させる構成も本考案に包含される。この際、鼻部切込み１４により、顔面部基材シート１１を密着状態で貼り付けた状態においても、使用者の呼吸は確保される。
【００２８】
首部基材シート１２は、略半円形状であり、該略半円形状の弦部分が顔面部基材シート１１の顎下部分に接続する向きで連設され、前記略半円形状の弧部分の一部が略Ｍ字形状に形成されている。
【００２９】
略Ｍ字形状部分１７は、首部基材シート１２における中央下部に位置し、略Ｍ字形状の凸部（Ｍ字の中心部分）がパックシート１における横方向の中心に位置する。これは、略Ｍ字形状の凸部を顔面と首の中心に貼り付けるための目印とすることができ、エステティシャン等による施術の場合は勿論のこと、特に使用者が自らパックシート１を顔面・首に貼り付ける場合に、パックシート１を正確に着用するために有効である。
【００３０】
パックシート１は、この種のパックシートに用いられる織布、不織布又は和紙等の公知公用のいずれかの材料の中から最適な素材を選択することができ、シルクシートで形成す
ることもできる。シルクシートは、乾燥状態においては破れ易いが、美容液等の水分を含ませた場合においては破れ難いという特性を有し、更に肌触りが良いという特性を有する点でパックシートに用いられる材料として適している。シルクシートは、従来からパックシートとして使用されている公知公用のものから選択することができる。
【００３１】
パックシート１に浸透させる美容液としては、化粧水、乳液又はスキンクリーム等の保湿・美白等の美容に効果を発揮する液体又は半液体（クリーム状、ペースト状のものを含む）として公知公用のいずれかの美容液の中から最適なものを選択することができる。
【００３２】
使用者が着用したパックシートに塗布するクリームタイプパック剤としては、保湿・美白等の美容に効果を発揮する公知公用のいずれかのパック剤の中から最適なものを選択することができる。例えば、スクワラン、バイオヒアルロン酸及びホホバオイルを配合したパック剤、プラセンタエキス、オウゴンエキス及びビタミンＣ誘導体を配合したパック剤が挙げられる。
【００３３】
次に、保温シート２について説明する。
図２に、保温シート２の実施例を示す。保温シート２は、パックシート１の上に塗付されたパック剤の上に被覆し、パックシート１及びパックシート１を貼り付けた顔面又は首の皮膚表面付近を、使用者の体温に近い温度に保つために用いるものである。
【００３４】
保温シート２は、鼻部の部分には、鼻部の隆起を逃がして馴染み易くするための鼻部切込み２１が形成され、口の部分には、使用者の呼吸を確保するための口部開口２２が形成されている。また、保温シート２の外周部分には、顔面の立体面に合うように複数の切込み２３が形成されている。
【００３５】
尚、図２に示す保温シート２の実施例は、外周形状を四角形としているが、顔面、首又はパックシート１の形状に合わせた形状とし、保温シート２を密着状態で被覆することを可能とする構成も本考案に包含される。
【００３６】
保温シート２は、金属材製のシートとして公知の素材で形成することができる。中でも、アルミニウムは、金属の中では軽量で軟らかく耐蝕性もあることから、保温シート２として適した素材といえる。アルミニウム等の金属材は、樹脂等でコーティングされたものであっても良い。
【００３７】
次に、本考案に係る美容パック化粧品の使用方法について、図３に示す顔面及び首の前側部分に貼り付ける状態を説明する拡散斜視図に従って説明する。
【００３８】
本考案に係る美容パック化粧品を使用者の顔面等に装着する者は、使用者自身又はエステティックサロン等において顧客に対し美容を施す美容師（エステティシャン）等であるが、以下の実施例はエステティシャンが顧客（使用者）に装着する場合について説明する。
【００３９】
先ず、パックシート１に美容液を含浸させる。この際、含浸させる美容液は、使用者の年齢、肌質、肌のコンディション若しくはアレルギーの有無又は美容の目的（美肌、美白等）等に応じて、最適なものを選択し使用する。
【００４０】
美容液をパックシート１に含浸させる方法としては、使用者の顔面等に貼り付ける前に、パックシート１に美容液を含ませシート全体に含浸させることができ、また、使用者の顔面等に美容液を塗付し、その上からパックシート１を貼り付けることによりシートにも美容液を含浸させることもできる。
【００４１】
次に、パックシート１を使用者の顔面又は顔面及び首に貼り付ける。この際、パックシート１が顔面等と密着状態となるように貼り付けることが好ましい。また、首部基材シート１２が連設されているパックシート１については、首部基材シート１２における略Ｍ字形状部分１７の凸部を、顔面と首の中心に貼り付けるための目印とすることによって、パックシート１を正確に貼り付けることができる。
【００４２】
次に、顔面等に貼り付けたパックシート１の上に、クリームタイプパック剤を塗付する。この際、塗付するクリームタイプパック剤は、使用者の年齢、肌質、肌のコンディション若しくはアレルギーの有無又は美容の目的（美肌、美白等）等に応じて、最適なものを選択し使用する。
【００４３】
最後に、パックシート１上に塗付したパック剤の上に、保温シート２を覆い被せる。
保温シート２はアルミニウム等の金属材で形成されており、これを被覆することによって、体内から発せられる熱線を保温シート２が反射し、パックシートと顔面皮膚間の温度を上昇又は体温と近い温度に保ち、美容効果を高めることができ、また、保温シート２を使用しない場合に比して短時間で美容効果を得ることができる。この際、保温シート２による保温性を失わないために、顔面等と密着状態となるように被覆する。
【図面の簡単な説明】
【００４４】
【図１】パックシートの実施例を示す平面図
【図２】保温シートの実施例を示す平面図
【図３】本考案に係る美容パック化粧品を顔面及び首の前側部分に貼り付ける状態を説明する拡散斜視図
【符号の説明】
【００４５】
１  パックシート
１１  顔面部基材シート
１２  首部基材シート
１３  目部開口
１４  鼻部切込み
１５  口部切込み
１６  外周部切込み
１７  略Ｍ字形状部分
２  保温シート
２１  鼻部切込み
２２  口部開口
２３  外周部切込み
【図１】
0003144385.tif 000003
【図２】
0003144385.tif 000004
【図３】
0003144385.tif 000005